(57)【特許請求の範囲】
【請求項１】
カードの嵌合・離脱を検出するためのスイッチ機構を含むカード接続用コネクタにおいて、前記カードと接続する導電性のコンタクトと、該コンタクトを保持したインシュレータと、前記カードを嵌合方向及び該嵌合方向とは逆向きの離脱方向へ移動させるイジェクト機構とを有し、前記イジェクト機構は、前記カードと当接しかつ前記カードを前記嵌合方向及び前記離脱方向へ摺動自在に移動するイジェクトバーと、前記カードを前記離脱方向へ常時付勢する弾性部材と、前記イジェクトバーに形成したカム溝に係合し外部機器との電気的接続可能な形状をもつ導電性のカムフォロアとを有し、該カムフォロアは弾性を有しかつ前記インシュレータに固定されており、さらに前記カムフォロアの一端が前記カム溝に係合しており、前記カムフォロアの他端には電気的な導通用端子として用いられるカムフォロア端子が形成されており、前記スイッチ機構は、前記カムフォロアと、前記カムフォロアに接離するよう前記カム溝内に配設されている導電部材とを備えていることを特徴とするカード接続用コネクタ。
【請求項２】
請求項１記載のカード接続用コネクタにおいて、前記導電部材は、前記カム溝の内側面に配設した第１の接触部と、前記弾性部材に常時、接触している第２の接触部とを有していることを特徴とするカード接続用コネクタ。
【請求項３】
請求項１記載のカード接続用コネクタにおいて、前記導電部材は、前記カム溝の底面に配設した第１の接触部と、前記弾性部材に常時、接触している第２の接触部とを有していることを特徴とするカード接続用コネクタ。
【請求項４】
請求項１記載のカード接続用コネクタにおいて、前記インシュレータは、前記カードを前記嵌合方向および前記離脱方向へガイドする互いに平行な一対のガイドレール部を有し、該ガイドレール部にスイッチ端子が設けられており、該スイッチ端子が前記導電部材に接続していることを特徴とするカード接続用コネクタ。
【請求項５】
請求項１乃至４に記載のいずれか１項記載のカード接続用コネクタにおいて、前記インシュレータは、前記カードをガイドする一対のフレーム部を有し、前記フレーム部の一方に前記イジェクトバーがスライド可能に装着され、前記イジェクトバーは、前記フレーム部の一方にスライド可能に装着されるガイド部と、前記カードの挿入時にその先端に押され、かつ、前記カードの排出時にその先端を押すカード当接部を有することを特徴とするカード接続用コネクタ。
【請求項６】
請求項５記載のカード接続用コネクタにおいて、前記カム溝がハート形状に形成されており、前記カムフォロアは、前記カム溝に沿って移動するガイドピン部を有し、前記カムフォロアを前記イジェクトバーに対して所定角度回動可能に保持していることを特徴とするカード接続用コネクタ。
【発明の詳細な説明】
【０００１】
【発明の属する技術分野】
本発明は、プッシュ操作の繰り返しによって、ＩＣカードやメモリカードのようなカードの挿入と排出とを行うカード接続用コネクタに属する。
【０００２】
【従来の技術】
先行技術としては、特開２００１−２６７０１３号公報に、プッシュ−プッシュ式カード接続用コネクタ（以下、コネクタと呼ぶ）が開示されている。コネクタ１０１は、インシュレータ１０２と、インシュレータ１０２に固定された複数のコンタクト１０３と、インシュレータ１０２のフレーム部１０２Ａに装着されるイジェクトバー１０４と、イジェクトバー１０４を離脱方向へ常時付勢するコイルスプリング１０５と、イジェクトバー１０４に形成されたハートカム１０４Ｃにガイドされるカムフォロア１０６とから構成される。図９及び図１０（ａ）に示したカード１１１は、コネクタ１０１に挿入され、また、コネクタ１０１から排出される。
【０００３】
個々の部品を説明すると、インシュレータ１０２は、フレーム部１０２Ａ，１０２Ｂ，１０２Ｃとによって構成されている。各コンタクト１０３には、一端側に接点部１０３Ａが形成されており、他端側に平坦接点部１０３Ｂが形成されている。イジェクトバー１０４は、ガイド部１０４Ａと直角折曲部１０４Ｂとを有している。
【０００４】
ガイド部１０４Ａの一面には、ハートカム１０４Ｃが形成されている。直角折曲部１０４Ｂのカード当接部１０４Ｄには、カード１１１の先端が当接する。イジェクトバー１０４のガイド部１０４Ａは、フレーム部１０２Ａに形成された溝（図示せず）内にスライド可能に収容され、ガイド部１０４Ａの一面に形成された溝１０４Ｅ内にコイルスプリング１０５が挿入される。
【０００５】
コイルスプリング１０５の一端は、イジェクトバー１０４に圧接し、他端は、フレーム部１０２Ｃの内面に圧接する。したがって、イジェクトバー１０４は、コイルスプリング１０５によってカード１１１をコネクタ１０１から排出する離脱方向へ常時付勢されている。
【０００６】
カムフォロア１０６は、バー状に形成され、フレーム部１０２Ａの外側に形成された切欠１０２Ｄ内に所定角度回動可能に配置される。カムフォロア１０６の基部に形成された穴１０６Ａは、フレーム部１０２Ａに形成された軸１０２Ｅにはまっている。また、カムフォロア１０６の先端部に折曲形成されたガイドピン部１０６Ｂは、フレーム部１０２Ａに設けられた穴（図示せず）を貫通してハートカム１０４Ｃのカム溝に係合する。
【０００７】
次に、イジェクトバー１０４のハートカム１０４Ｃの詳細について図１０を参照して説明する。イジェクトバー１０４のガイド部１０４Ａの一面には、ハートカム１０４Ｃが形成される。ハートカム１０４Ｃは、カムフォロア１０６のガイドピン部１０６Ｂの出発点▲１▼と、イジェクトバー１０４のスライド方向に対して傾斜したガイド部分▲２▼と、ハート型の凹部▲３▼と、イジェクトバー４のスライド方向に対して平行なガイド部分▲４▼と、ガイドピン部１０６Ｂの終着点▲５▼すなわち出発点▲１▼とから、循環状のガイドレール（カム溝）として構成される。ガイドピン部１０６Ｂは、フリー状態では、カムフォロア１０６の弾力性によって図３における左右へ付勢されている。
【０００８】
カード１１１のコネクタ１０１に対する挿入と排出（抜去）について図１０と図１１を参照して説明する。
【０００９】
まず、図１０（ａ）は、カード１１１の一部が本コネクタ１０１内に挿入されたフリー状態であり、図１１において、カムフォロア１０６のガイドピン部１０６Ｂは、ハートカム１０４Ｃの出発点▲１▼に位置する。
【００１０】
次に、図１０（ｂ）は、カード１１１をコネクタ１０１内方向へプッシュし、カード１１１の先端がイジェクトバー１０４のカード当接部１０４Ｄに当接することによって、カード１１１とイジェクトバー１０４とが一体となって、コネクタ１０１内へコイルスプリング１０５の圧縮力に抵抗しながらスライドする途中の状態である。図１１において、ガイドピン部１０６Ｂは、ハートカム１０４Ｃにおけるイジェクトバー１０４のスライド方向に対して傾斜したガイド部分▲２▼に位置する。
【００１１】
続いて、カード１１１を最大のストロークまでプッシュした後に、プッシュを中止すると、カード１１１とイジェクトバー１０４とは、コイルスプリング１０５の復元力によってわずかに戻されて図１０（ｃ）の状態に至る。図１０（ｃ）は、カード１１１の数のパッド（図示せず）が複数のコンタクト１０３の各凸状湾曲接点部１０３Ａに接触した嵌合状態であり、図１１において、ガイドピン部１０６Ｂは、ハートカム１０４Ｃのハート型の凹部▲３▼に没入して位置する。以上で、カード１１１の嵌合操作は完了する。
【００１２】
再び、カード１１１を最大のストロークまでプッシュした後に、プッシュを中止すると、図１１において、ガイドピン部１０６Ｂは、ハートカム１０４Ｃのハート型の凹部▲３▼から脱出してイジェクトバー１０４のスライド方向に対して平行なガイド部分▲４▼を経て終着点▲５▼すなわち出発点▲１▼に至る。カード１１１とイジェクトバー１０４とは、コイルスプリング１０５の復元力によって図１０（ｄ）の状態を経て図１０（ｅ）の状態に至る。以上で、カード１１１の排出操作は、完了する。
【００１３】
さらに、特開平１０−３１２８５４号公報に記載されたカード接続用コネクタにおいては、プッシュ操作の繰り返しによって、カードのコネクタへの挿入とコネクタからの排出とを行う。また、カードがコネクタに嵌合した状態をロックするために、ハート型のカム機構が採用されている。
【００１４】
このカード接続用コネクタの要点を説明する。カード接続用コネクタは、ボディと、ボディに固定されるフレームと、カードの挿入及び排出のときにフレームに対してスライドし、カードを載置されるスライダと、スライダに設けられたハート型のカム機構と、ボディに設けられ、カードのコネクタへの嵌合を検出する検出スイッチとを有する。検出スイッチには、ピン体が検出スイッチを開閉することができるように、また、スライダのカム機構をロックすることができるように動作可能に取り付けられている。スライダがコネクタに挿入されて、カードがコネクタと嵌合したとき、ピン体はカム機構の分岐箇所に係合してスライダをロックすると共に、検出スイッチの金属片である可動接片を金属片である固定接片に接触させる。
【００１５】
検出スイッチは、カードの外部接続用端子全てがコンタクトと接触した後に、作動しなくてはならない。このように、検出スイッチは、カードの端面に押圧されることにより、変形させられる金属製のバネ片と、バネ片の変形時にバネ片と接触し電気的接続を行う金属片からなるものである。
【００１６】
【発明が解決しようとする課題】
しかしながら、カードの嵌合に対するスイッチの作動状態は、カードの端面の位置に依存するので、カードの寸法やコネクタに対するカードの傾きにより変化する。また、コネクタの小型化のため、スイッチを設けるスペースを充分に採ることが困難であり、スイッチを構成する金属片同士の接触を安定させるために接触圧を大きくすることが困難であるという問題がある。
【００１７】
それ故に本発明の課題は、カードの嵌合状態の確実な検出が可能であるカード接続用コネクタを提供することにある。
【００１８】
また、本発明の他の課題は、接触圧を充分にとることができるカード接続用コネクタを提供することにある。
【００１９】
また、本発明の他の課題は、小型化できるカード接続用コネクタを提供することにある。
【００２０】
さらに、本発明の他の課題は、製造コストを削減でき、寸法管理も容易となるカード接続用コネクタを提供することにある。
【００２１】
【課題を解決するための手段】
本発明によれば、カードの嵌合・離脱を検出するためのスイッチ機構を含むカード接続用コネクタにおいて、前記カードと接続する導電性のコンタクトと、該コンタクトを保持したインシュレータと、前記カードを嵌合方向及び該嵌合方向とは逆向きの離脱方向へ移動させるイジェクト機構とを有し、前記イジェクト機構は、前記カードと当接しかつ前記カードを前記嵌合方向及び前記離脱方向へ摺動自在に移動するイジェクトバーと、前記カードを前記離脱方向へ常時付勢する弾性部材と、前記イジェクトバーに形成したカム溝に係合し外部機器との電気的接続可能な形状をもつ導電性のカムフォロアとを有し、該カムフォロアは弾性を有しかつ前記インシュレータに固定されており、さらに前記カムフォロアの一端が前記カム溝に係合しており、前記カムフォロアの他端には電気的な導通用端子として用いられるカムフォロア端子が形成されており、前記スイッチ機構は、前記カムフォロアと、前記カムフォロアに接離するよう前記カム溝内に配設されている導電部材とを備えていることを特徴とするカード接続用コネクタが得られる。
【００２２】
【作用】
カム溝の一部に第１の接触部を設けることにより、カードがコネクタに挿入されて嵌合した状態をカム溝に対するカムフォロアの相対位置から電気的に検出する。また、カム溝に対するカムフォロアの位置によってスイッチを作動させることによりカードの嵌合状態を確実に検出することが可能となる。
【００２３】
カードの排出には、弾性部材の力を利用するため、カムフォロアと導電部材との接触圧を充分にとることができる。
【００２４】
また、既存部品である弾性部材やカムフォロアを使用し、樹脂部分を金属片である導電部材に変更するため、新たなスイッチ用のスペースを設ける必要がなく、小型化が可能である。
【００２５】
【発明の実施の形態】
以下、本発明に係るカード接続用コネクタの実施の形態例について図面を参照して説明する。図１は、第１実施の形態例におけるカード接続用コネクタ（以下、コネクタと呼ぶ）を示している。図２（ａ）〜図２（ｃ）は、第１実施の形態例に基づくコネクタにカードを嵌合した状態を示している。図３（ａ）及び図３（ｂ）は、コネクタに対してカードを離脱して排出した状態を示している。
【００２６】
コネクタ１は、インシュレータ２と、インシュレータ２に固定されている複数のコンタクト３と、イジェクト機構と、スイッチ機構とを備えている。イジェクト機構は、カード１１と当接し、かつカード１１を嵌合・離脱方向へ摺動自在に移動するようにインシュレータ２のフレーム部２Ａに装着されているイジェクトバー４と、カード１１を離脱方向へ常時付勢するコイルスプリング（弾性部材）５と、イジェクトバー４にハート形状に形成されたハートカム４Ｃにガイドされるカムフォロア（図２（ａ）を参照）６とを備えている。
【００２７】
個々の部品を詳細に説明すると、インシュレータ２は、合成樹脂材料によって略長方形状に作られており、インシュレータ２の３辺によって平面から見ると略コ字形のフレーム部２Ａ，２Ｂ，２Ｃが形成されている。互いに平行に相対するフレーム部２Ａ，２Ｂには、これらの対向面にカード１１を嵌合、離脱方向へガイドするガイドレール部２ａ，２ｂが形成されている。
【００２８】
各コンタクト３は、導電性でありかつ板バネ形状を呈しており、嵌合時にカード１１に設けられているカード接点部１１ａに接触するように、一端側が凸状に湾曲されている接点部３Ａと、他端側に端子部３Ｂを有している。
【００２９】
イジェクトバー４は、金属材でありかつ側面略Ｌ字形状を呈しており、ガイド部４Ａと、このガイド部４Ａに対して直角折曲部４Ｂとを有している。ガイド部４Ａの一面には、ハートカム４Ｃが形成されている。直角折曲部４Ｂのカード当接部４Ｄには、カード１１の嵌合方向における先端が当接する。イジェクトバー４は、カードの嵌合・離脱方向へ摺動自在に移動する。イジェクトバー４のガイド部４Ａは、フレーム部２Ａに形成されている断面略Ｕ字状の溝（図示せず）内にスライド可能に収容されている。
【００３０】
ガイド部４Ａの一面に形成された溝４Ｅ内には、コイルスプリング５が挿入される。コイルスプリング５の一端は、イジェクトバー４に圧接している。コイルスプリング５の他端は、フレーム部２Ｃの内面に圧接する。したがって、イジェクトバー４は、コイルスプリング５によってカード１１をコネクタ１から排出する離脱方向へ常時付勢されている。なお、イジェクトバー４と、コイルスプリング５と、ハートカム４Ｃに係合するカムフォロア６とは、これらでイジェクト機構を構成している。
【００３１】
図２（ａ）〜図２（ｃ）に示したカムフォロア６は、外部機器との電気的接続可能な形状をもっており、金属材である導電性部材によってバー状に作られており、フレーム部２Ａの外側に形成された切欠２Ｄ内に所定角度回動可能に配置される。また、カムフォロア６の先端部に折曲形成されたガイドピン部６Ｂは、フレーム部２Ａに設けられた穴（図示せず）を貫通してハートカム４Ｃのハート形状であるカム溝４ｄに係合する。
【００３２】
なお、コネクタ１は、図１に示したように、長方形状のカバー８によって覆われる。また、イジェクトバー４のハートカム４Ｃの詳細については、先行技術として図１０及び図１１において説明したハートカム１０４Ｃと同様であり、カード１１のコネクタ１に対する挿入と排出については、先行技術において説明したカード１１１のコネクタ１０１に対する挿入と排出と同様なものであるので説明を省略する。
【００３３】
スイッチ機構は、スイッチ機構の一方をカムフォロア６とし、他方がハートカム４Ｃのカム溝４ｄ内に配設されている平面から見ると略逆コ字板形状に曲げられている長板形状の導電部材１５を有している。
【００３４】
導電部材１５は、カムフォロア６と、図４に示したハートカム４Ｃのカム溝４ｄにおける内側面のうち、カード１１を嵌合した時におけるカムフォロア６のガイドピン部６Ｂが引掛かる内側面４１ａに対向してコイルスプリング５に押圧される面に露出させ、かつこれらの２面を電気的に導通させ得る第１の接触部１５ａと、第２の接触部１５ｂを有している。
【００３５】
第２の接触部１５ｂは、コネクタ１の外部との電気的な導通用端子として使用し得る部分であり、コイルスプリング５の離脱方向における一端と電気的導通可能に配置されている。コイルスプリング５の嵌合方向の他端は、フレーム部２Ｃに保持されているスイッチ端子部１７に常時、接触している。また、カムフォロア６の他端は、電気的な導通用端子として使用し得るカムフォロア端子部６Ｃとなっている。
【００３６】
したがって、図２（ａ）〜図２（ｃ）に示したように、スイッチ機構は、カムフォロア６のガイドピン部６Ｂがカード１１の嵌合位置にあるときにのみ電気的導通可能となるものであり、図３（ａ）、図３（ｂ）に示したように、カード１１がコネクタ１に嵌合していないときには電気的導通されていない。
【００３７】
図４に要部を拡大して示したように、カム溝４ｄの内側面４１ａに第１の接触部１５ａを露出して位置させた場合には、コイルスプリング５によってカムフォロア６のガイドピン部６Ｂに強い力で押圧されるが、接触ストロークはほぼゼロに近い。ここで、接触ストロークは、インシュレータ２に固定されたカムフォロア６に対し、イジェクトバー４がスライドしたときに、スイッチが導通していられる距離である。
【００３８】
図４に示すように、ガイドピン部６Ｂは、フリー状態でカムフォロア６の弾力性によって左側へ付勢されている。この時、ガイドピン部６Ｂは、導電部材１５の第１の接触部１５ａには接触していない。カード１１を嵌合方向でコネクタ１へプッシュし、カード１１の先端がイジェクトバー４のカード当接部４Ｄに当接することによって、カード１１とイジェクトバー４とが一体となって、コネクタ１内へコイルスプリング５の圧縮力に抵抗しながらスライドする。
【００３９】
続いて、カード１１を最大のストロークまでプッシュした後に、プッシュを中止すると、カード１１とイジェクトバー４とは、コイルスプリング５の復元力によってわずかに戻されて図２（ａ）〜図２（ｃ）の状態に至る。この際、導電部材１５の第１の接触部１５ａに接触する。
【００４０】
再び、カード１１を最大のストロークまでプッシュした後に、プッシュを中止すると、ガイドピン部６Ｂは、イジェクトバー４のスライド方向に対して平行なガイド部分を経て終着点すなわち出発点に至る。カード１１とイジェクトバー４とは、コイルスプリング５の復元力によって元の位置へ戻る。
【００４１】
図５（ａ）〜図５（ｃ）、図６（ａ）〜図６（ｂ）は、カード接続用コネクタ１の第２実施の形態例を示している。図５（ａ）〜図５（ｃ）は，コネクタ１とカード１１との嵌合状態を示しており、図６（ａ）〜図６（ｂ）は、コネクタ１からカード１が排出されたときの状態を示している。
【００４２】
なお、この第２の実施の形態例は、第１の実施の形態例における導電部材１５の第２の接触部１５ａのみの形状と位置とが異なっているので、この部分のみの説明をする。
【００４３】
第２実施の形態例における導電部材１５は、ハートカム４Ｃのカム溝４ｄにおける底面４１ｆ（図４を参照）に沿って第１の接触部１５ｃが配設されている。すなわち、カード１１が嵌合している時におけるカムフォロア６のガイドピン部６Ｂの先端によって押圧される底面４１ｆに第１の接触部１５ｃが露出している。このスイッチ機構においても、カムフォロア６のガイドピン部６Ｂがカード１１の嵌合位置にあるときにのみ電気的導通可能とであり、ガイドピン部６Ｂの先端が第１の接触部１５ｃの面を摺動する。
【００４４】
このように、カム溝４ｄの底面に第１の接触部１５ｃを露出した場合は、コイルスプリング５によってカムフォロア６のガイドピン部６Ｂに接触ストロークをもたせることができる。この場合、カムフォロア６のガイドピン部６Ｂとの接触力は、カムフォロア６の弾性力によってなされる。
【００４５】
図７（ａ）〜図７（ｄ）、図８（ａ）〜図８（ｃ）は、カード接続用コネクタ１の第３実施の形態例を示している。図７（ａ）〜図７（ｄ）は，コネクタ１とカード１１との嵌合状態を示しており、図８（ａ）〜図８（ｃ）は、コネクタ１からカード１が離脱方向へ移動して排出されたときの状態を示している。
【００４６】
なお、この第３の実施の形態例は、第２の実施の形態例における導電部材１５の第１の接触部１５ｃに導通するスイッチ端子１８が異なっているので、この部分のみの説明をする。
【００４７】
スイッチ端子１８は、ガイドレール部２ａに設けられており、導電部材１５に接続されている。第３実施の形態例における導電部材１５ｄは、ハートカム４Ｃのカム溝４ｄにおける底面４１ｆに沿って第１の接触部１５ｃが配設されている。すなわち、カード１１が嵌合している時におけるカムフォロア６のガイドピン部６Ｂの先端によって押圧される底面４１ｆに第１の接触部１５ｃが露出している。このスイッチ機構においても、カムフォロア６のガイドピン部６Ｂがカード１１の嵌合位置にあるときにのみ電気的導通可能となる。
【００４８】
【発明の効果】
以上説明したように、本発明に係るカード接続用コネクタによると、ハートカムのカム溝に対するカムフォロアのガイドピン部によってスイッチを作動させることにより、カードの嵌合状態の確実な検出が可能となる。
【００４９】
また、カードの排出にはコイルスプリングの力を利用するため、カムフォロアと導電部材との接触圧を充分にとることができる。
【００５０】
また、既存部品であるコイルスプリングやカムフォロアを使用し、樹脂部分を金属片である導電部材に変更するため、新たなスイッチ用のスペースを設ける必要がなく、小型化が可能となる。
【００５１】
さらに、複雑なバネ形状が必要ないため、製造コストを削減でき、寸法管理も容易となる。
【図面の簡単な説明】
【図１】本発明に係るカード接続用コネクタの第１実施の形態例を示した斜視図である。
【図２】本発明に係るカード接続用コネクタの第１実施の形態例であって、カードがカード接続用コネクタに嵌合している状態を示しており、（ａ）は側面図、（ｂ）は（ａ）のＡ−Ａ断面図、（ｃ）は（ｂ）の要部を拡大して示した断面図である。
【図３】図２（ａ）〜図２（ｃ）に示したカードをカード接続用コネクタから排出した状態を示しており、（ａ）は側面図、（ｂ）は（ａ）のＣ−Ｃ断面図である。
【図４】図２（ａ）〜図２（ｃ）におけるカムフォロアと導電部材との接触状態を示した斜視図である。
【図５】本発明に係るカード接続用コネクタの第２実施の形態例であって、カードがカード接続用コネクタに嵌合している状態を示しており、（ａ）は側面図、（ｂ）は（ａ）のＤ−Ｄ断面図、（ｃ）は（ｂ）の要部を拡大して示した断面図である。
【図６】図５（ａ）〜図５（ｃ）に示したカードを排出した状態を示しており、（ａ）は側面図、（ｂ）は（ａ）のＦ−Ｆ断面図である。
【図７】本発明に係るカード接続用コネクタの第３実施の形態例であって、カードがカード接続用コネクタに嵌合している状態を示しており、（ａ）は側面図、（ｂ）は（ａ）のＧ−Ｇ断面図、（ｃ）は（ｂ）のＨ−Ｈ断面図、（ｄ）は（ｂ）の要部を拡大して示した断面図である。
【図８】図７（ａ）〜図７（ｃ）に示したカードをカード接続用コネクタから排出した状態を示しており、（ａ）は側面図、（ｂ）は（ａ）のＪ−Ｊ断面図、（ｃ）は（ｂ）のＫ−Ｋ断面図である。
【図９】先行技術におけるカード接続用コネクタを示した斜視図である。
【図１０】  （ａ）〜（ｅ）は、図９に示したカード接続用コネクタに対するカードの挿入と排出の過程を順次示した斜視図である。
【図１１】図１０に示したカード接続用コネクタにおけるハートカムのカム溝にガイドされるカムフォロアのガイドピン部の過程を示す斜視図である。
【符号の説明】
１，１０１    コネクタ
２，１０２    インシュレータ
２Ａ，２Ｂ，２Ｃ，１０２Ａ，１０２Ｂ，１０２Ｃ    フレーム部
３，１０３    コンタクト
４，１０４    イジェクトバー
４Ａ，１０４Ａ    ガイド部
４Ｃ，１０４Ｃ    ハートカム
４Ｄ，１０４Ｄ    カード当接部
４ｄ    カム溝
５，１０５    コイルスプリング
６，１０６    カムフォロア
６Ｂ，１０６Ｂ    ガイドピン部
１１，１１１    カード
１５    導電部材
１５ａ，１５ｃ    第１の接触部
１５ｂ    第２の接触部
４１ａ    内側面
４１ｆ    底面
【図１】
0003682652.tif 000002
【図２】
0003682652.tif 000003
【図３】
0003682652.tif 000004
【図４】
0003682652.tif 000005
【図５】
0003682652.tif 000006
【図６】
0003682652.tif 000007
【図７】
0003682652.tif 000008
【図８】
0003682652.tif 000009
【図９】
0003682652.tif 000010
【図１０】
0003682652.tif 000011
【図１１】
0003682652.tif 000012